(57)【要約】【課題】  乾電池や商用電源を必要とせず、いかなる場所でも使用することができる信号発信システムを提供する。【解決手段】  本発明の信号発信システムは、磁石１と発信装置１０とを備え、発信装置１０は、磁石１との距離を相対的に変化させることにより起電力を発生するコイル１１と、コイル１１が発生した起電力により駆動して信号を生成する発振器１３と、コイル１１が発生した起電力により駆動し、発振器１３によって生成された信号を電波に変換して発信する電波発信部１４とを備える。【選択図】  図１
2006304010.tif 000002
【特許請求の範囲】
【請求項１】
磁石と；
前記磁石との距離を相対的に変化させることにより起電力を発生するコイルと、前記コイルが発生した起電力により駆動して信号を生成する信号生成部と、前記コイルが発生した起電力により駆動して、前記信号生成部によって生成された信号を電波に変換して発信する電波発信部とを備える発信装置と；を備える信号発信システム。
【請求項２】
前記発信装置に、前記コイルを巻かれる鉄芯が設けられている請求項１記載の信号発信システム。
【請求項３】
前記発信装置に、前記コイルが発生した起電力を一定の大きさにする定電圧化部を備える請求項１記載の信号発信システム。
【請求項４】
前記磁石が、ネオジウム磁石またはフェライト磁石である請求項１記載の信号発信システム。
【請求項５】
磁束密度の変化により起電力を発生するコイルと、前記コイルが発生した起電力により駆動して信号を生成する信号生成部と、前記信号生成部において生成された信号を電波に変換して発信する電波発信部とを備える発信装置。
【請求項６】
磁石と；
信号を生成する信号生成部と、前記信号生成部によって生成された信号を電波に変換して発信する電波発信部と、前記信号生成部および前記電波発信部に供給すべき電力を発生する太陽電池と、前記磁石を接近させることにより作動し、前記太陽電池から前記信号生成部および前記電波発信部への電力供給路を開くスイッチとを備える発信装置と；を備える信号発信システム。
【請求項７】
信号を生成する信号生成部と、前記信号生成部によって生成された信号を電波に変換して発信する電波発信部と、前記信号生成部および前記電波発信部に供給すべき電力を発生する太陽電池と、磁石を接近させることにより前記磁石に引き寄せられて結線し、前記太陽電池から前記信号生成部および前記電波発信部への電力供給路を開くスイッチとを備える発信装置と；を備える発信装置。
【発明の詳細な説明】
【技術分野】
【０００１】
本発明は、無線による信号発信システムに関する。
【背景技術】
【０００２】
従来の無線による信号発信システムは、発信機の電源として、乾電池を内蔵したり商用電源を使用したりしている（例えば下記の特許文献１）。
【特許文献１】特開２００３−１４５３９号公報
【発明の開示】
【発明が解決しようとする課題】
【０００３】
従来の信号発信システムにおいては、電源として乾電池を内蔵する発信機の場合、乾電池の電力が尽きると発信が出来なくなるので、定期的に乾電池を交換する必要があり、管理が面倒である。また、乾電池の購入コストが嵩む等の問題もある。
一方、商用電源を使用する発信機の場合は、乾電池の場合とは異なり、交換等の面倒な管理は不要であるが、商用電源を使用できる場所にしか発信機を設置することができない。
【０００４】
本発明は上記の事情に鑑みてなされたものであり、乾電池や商用電源を必要とせず、いかなる場所でも使用することができる信号発信システムを提供することを目的としている。
【課題を解決するための手段】
【０００５】
上記の課題を解決するための手段として、次のような構成の信号発信システム、および発信装置を採用する。すなわち本発明の信号発信システムは、磁石と；前記磁石との距離を相対的に変化させることにより起電力を発生するコイルと、前記コイルが発生した起電力により駆動して信号を生成する信号生成部と、前記コイルが発生した起電力により駆動し、前記信号生成部によって生成された信号を電波に変換して発信する電波発信部とを備える発信装置と；を備える。
【０００６】
本発明の信号発信システムは、前記発信装置に、前記コイルを巻かれる鉄芯が設けられることが好ましい。
【０００７】
本発明の信号発信システムは、前記発信装置に、前記コイルが発生した起電力を一定の大きさにする定電圧化部を備えることが好ましい。
【０００８】
本発明の信号発信システムは、前記磁石が、ネオジウム磁石またはフェライト磁石であることが好ましい。
【０００９】
本発明の発信装置は、磁束密度の変化により起電力を発生するコイルと、前記コイルが発生した起電力により駆動して信号を生成する信号生成部と、前記信号生成部において生成された信号を電波に変換して発信する電波発信部とを備える。
【００１０】
本発明の信号発信システムにおいては、信号を発信させる要求がある場合、発信装置と磁石との距離を相対的に変化させると、電磁誘導によってコイルに起電力が発生し、コイルが発生した起電力により信号生成部が駆動して信号を生成し、信号生成部によって生成された信号が電波に変換されて発信される。
【００１１】
本発明の信号発信システムは、磁石と；信号を生成する信号生成部と、前記信号生成部によって生成された信号を電波に変換して発信する電波発信部と、前記信号生成部および前記電波発信部に供給すべき電力を発生する太陽電池と、前記磁石を接近させることにより作動し、前記太陽電池から前記信号生成部および前記電波発信部への電力供給路を開くスイッチとを備える発信装置と；を備える。
【００１２】
本発明の発信装置は、信号を生成する信号生成部と、前記信号生成部によって生成された信号を電波に変換して発信する電波発信部と、前記信号生成部および前記電波発信部に供給すべき電力を発生する太陽電池と、磁石を接近させることにより前記磁石に引き寄せられて結線し、前記太陽電池から前記信号生成部および前記電波発信部への電力供給路を開くスイッチとを備える発信装置と；を備える。
【００１３】
本発明の信号発信システムにおいては、信号を発信させる要求がある場合、発信装置に磁石を接近させると、スイッチが結線して太陽電池から信号生成部および電波発信部への電力供給路が開かれ、信号生成部が駆動して信号を生成し、信号生成部によって生成された信号が電波に変換されて発信される。
【発明の効果】
【００１４】
本発明の信号発信システムによれば、乾電池を内蔵する従来の発信機とは異なり、別途電源を用意する必要がないので、定期的に乾電池を交換する必要がなく、管理が非常に楽である。また、乾電池の購入コスト等もいっさい不要である。また、商用電源を使用する従来の発信機とも異なり、商用電源を使用できる場所でなくても発信機を設置することができる。したがって、本発明の信号発信システムは、乾電池や商用電源を必要とせず、いかなる場所でも使用することができる。
【発明を実施するための最良の形態】
【００１５】
本発明の信号発信システムの第１の実施形態を、図１および図２を参照して説明する。
本実施形態の信号発信システムは、図１に示すように、磁石１と、発信装置１０とを備えている。磁石１には、ネオジウム磁石またはフェライト磁石が採用されている。発信装置１０は、磁石１との距離を相対的に変化させることにより起電力を発生するコイル１１と、コイル１１を巻かれる鉄芯１２と、信号を生成する発振器（信号生成部）１３と、発振器１３によって生成された信号を電波に変換して発信する電波発信部１４と、コイル１１が発生した起電力を一定の大きさにする定電圧化部１５とを備えている。発振器１３および電波発信部１４は、いずれもコイル１１が発生した起電力により駆動する。
【００１６】
発振器１３は、送出すべき電波と同じ周波数の電気的な振動電流を生成する。これを振動波という。電波発信部１４は、発振器１３において生成された振動波を増幅する増幅器１６と、増幅器１６によって増幅された振動波を電磁波として空間に放射する送信アンテナ１７とを備えている。
【００１７】
発信装置１０の外観を図２に示す。発信装置１０は、有底の円筒形状をなす樹脂製（例えばポリプロピレン等）のケース１８に、上記各機器を内蔵している。ケース１８の、コイル１１および鉄芯１２が内蔵される側の端面には、磁石とコイルとの直接の干渉を防止するために、樹脂製（例えばポリエチレンテレフタレート等）のキャップ１９が被着されている。キャップ１９を被着された面が、発信装置１０の磁場検出面である。送信アンテナ１７には、樹脂コーティングされた軟性のコードが採用されている。
【００１８】
上記のように構成された信号発信システムの作動の仕方について説明する。
発信装置１０のキャップ１９が被着された面と、磁石１とを対峙させ、磁石１を発信装置１０に接近させると、コイル１１の周囲の磁場が変化し、コイル１１に作用する磁場の磁束密度が高くなる。これによってコイル１１に電磁誘導が起こり、コイル１１の両端に起電力が発生する。発生した起電力は、定電圧化部１５において一定の大きさの電圧に調整された後、発振器１３および増幅器１６に供給され、これらを駆動させる。
【００１９】
発振器１３は、送出すべき電波と同じ周波数の電気的な振動電流（振動波）を生成する。増幅器１６は、発振器１３において生成された振動波を必要なだけ増幅し、送信アンテナ１７に加える。送信アンテナ１７は、与えられた振動波のエネルギーを電磁波（電波）として空間に放射する。送信アンテナ１７から放射された電波は、図示しない受信装置の受信アンテナに受信される。
【００２０】
本実施形態においては、磁石１を発信装置１０に接近させることによってコイル１１の両端に発生する起電力を３．０ボルトに想定している。コイル１１の両端に発生する起電力の大きさは、磁石１を接近させる速度にも依存するが、ある速度を仮定したうえで、３．０ボルトの起電力を発生させるために、磁石１の種類、およびコイル１１の巻き数を適宜選定している。例えば、磁石１には大きさの割に磁力の強いネオジウム磁石またはフェライト磁石を採用している。定電圧化部１５は、コイル１１が発生した３．０ボルトの電力を、発振器１３および増幅器１６の駆動電圧に等しい１．２ボルトに変圧する。コイル１１の目標とする起電力を、発振器１３および増幅器１６の駆動電圧よりも大きくしたのは、磁石１とコイル１１による電磁誘導によって発生する起電力が、様々な要因に依存して安定しない可能性があるからである。本実施形態では、様々な要因の影響を考慮してコイル１１が発生する起電力を３．０ボルトとし、その起電力を定電圧化部１５によって１．２ボルトにまで低下させて発振器１３および増幅器１６を駆動することにしたので、作動の確実性が非常に高められている。また、磁石１にネオジウム磁石またはフェライト磁石を採用したことにより、システム自体の小型化にも貢献している。
【００２１】
上記のように構成された信号発信システムによれば、信号を発信させる要求がある場合、発信装置１０に対して磁石１を接近させる働きかけを行うだけで、所定の信号を発信することができる。したがって、乾電池や商用電源を必要とせず、いかなる場所でも使用することができる。
【００２２】
次に、本発明の信号発信システムの第２の実施形態を、図３を参照して説明する。
本実施形態の信号発信システムは、図３に示すように、磁石１と、発信装置１００とを備えている。発信装置１００は、信号を生成する発振器（信号生成部）１０１と、発振器１０１によって生成された信号を電波に変換して発信する電波発信部１０２と、発振器１０１および電波発信部１０２に供給すべき電力を発生する太陽電池１０３と、磁石１を接近させることにより磁石１に引き寄せられて結線し、太陽電池１０３から発振器１０１および電波発信部１０２への電力供給路を開くスイッチ１０４とを備えている。発振器１０１よび電波発信部１０２は、いずれも太陽電池１０３が発生した電力により駆動する。
【００２３】
電波発信部１０２は、発振器１０１において生成された振動波を増幅する増幅器１０５と、増幅器１０５によって増幅された振動波を電磁波として空間に放射する送信アンテナ１０６とを備えている。スイッチ１０４は、磁性体の揺動子１０４ａを備えている。
【００２４】
上記のように構成された信号発信システムの作動の仕方について説明する。
発信装置１００のスイッチ１０４と、磁石１とを対峙させ、磁石１をスイッチ１０４に接近させると、スイッチ１０４の揺動子１０４ａが磁石１に引き寄せられ、電力供給回路を繋ぐ。これにより、太陽電池で発生した電力が発振器１０１および増幅器１０５に供給され、これらを駆動させる。
【００２５】
発振器１０１は、送出すべき電波と同じ所定の周波数の電気的な振動電流（振動波）を生成する。増幅器１０５は、発振器１３において生成された振動波を必要なだけ増幅し、送信アンテナ１０６に加える。送信アンテナ１０６は、与えられた振動波のエネルギーを電磁波（電波）として空間に放射する。送信アンテナ１０６から放射された電波は、図示しない受信装置の受信アンテナに受信される。
【００２６】
上記のように構成された信号発信システムによれば、信号を発信させる要求がある場合、発信装置１０に対して磁石１を接近させる働きかけを行うだけで、所定の信号を発信することができる。したがって、乾電池や商用電源を必要とせず、いかなる場所でも使用することができる。なお、太陽電池の発電量は日照の加減によって増減するので、発電量が少ないときに電力を補完するために、補助の電池を内蔵してもよい。
【産業上の利用可能性】
【００２７】
本発明の信号発信システムは、乾電池や商用電源を必要とせず、いかなる場所でも使用することができるという利点を活かし、屋外で使用する機器（農機具や土木建設機械等）や、通常は使用されないが、かなりの長期間にわたって設置される機器（家屋の防犯センサ等）に利用することができる。
【図面の簡単な説明】
【００２８】
【図１】本発明の信号発信システムの第１の実施形態を示す図であって、同システムを構成する発信装置の機能ブロック図である。
【図２】本発明の信号発信システムを構成する磁石および発信装置の外観図である。
【図３】本発明の信号発信システムの第２の実施形態を示す図であって、同システムを構成する発信装置の機能ブロック図である。
【符号の説明】
【００２９】
１；磁石、１０；発信装置、１１；コイル、１２；鉄芯、１３；発振器（信号生成部）、１４；電波発信部、１５；定電圧化部、１６；増幅器、１７；送信アンテナ、１８；ケース、１９；キャップ
【図１】
2006304010.tif 000003
【図２】
2006304010.tif 000004
【図３】
2006304010.tif 000005